【手続補正書】
【提出日】平成17年7月14日(2005.7.14)
【手続補正１】
【補正対象書類名】明細書
【補正対象項目名】全文
【補正方法】変更
【補正の内容】
【書類名】      明細書
【発明の名称】  巻き折り隠蔽葉書
【特許請求の範囲】
【請求項１】  折り線を介して連接された第１葉片、第２葉片及び第３葉片からなる３葉片を折り畳み、対向する葉片間を剥離可能に疑似接着してなる隠蔽葉書において、前記３葉片が第２葉片裏面と第３葉片裏面を折り合わせると共に第１葉片裏面と第３葉片表面を折り合わせるように巻き折りに折り畳まれた状態で第１葉片に隠蔽されることなく表出する第３葉片の表面に、郵便はがきやポストカード又はそれに相当する表示が視認可能に記載されていることを特徴とした巻き折り隠蔽葉書。
【請求項２】  第１葉片の横幅を他の２葉片の横幅より短く設定し、３葉片が巻き折りに折り畳まれた状態で第２葉片と第３葉片を介する折り線に沿って帯状に表出する第３葉片表面に、郵便はがきやポストカード又はそれに相当する表示が視認可能に記載されている請求項１に記載の巻き折り隠蔽葉書。
【請求項３】  第１葉片に窓を形成し、３葉片が巻き折りに折り畳まれた状態で第１葉片の窓に対応する第３葉片表面に、郵便はがきやポストカード又はそれに相当する表示が前記窓を透して視認可能に記載されている請求項１に記載の巻き折り隠蔽葉書。
【請求項４】  第１葉片の縦幅を他の２葉片の縦幅より短く設定し、３葉片が巻き折りに折り畳まれた状態で上部に帯状に表出する第３葉片表面に、郵便はがきやポストカード又はそれに相当する表示が視認可能に記載されている請求項１に記載の巻き折り隠蔽葉書。
【発明の詳細な説明】
【０００１】
【発明の属する技術分野】
本発明は葉書に関する。詳しくは、本発明は、見掛けは通常の葉書であるにもかかわらず３葉片が折り畳まれ、対向する葉片間が剥離可能に積層されて接着（以下、疑似接着という。）されているため、多量の情報を隠蔽状態で、しかも葉書料金で伝達することができる巻き折り隠蔽葉書に関する。
【０００２】
【従来の技術】
最近、葉書の分野において、情報が記載された複数の葉片を折り畳んで剥離可能に一体化し、多量の情報を郵送可能にした隠蔽葉書が利用されるようになった。
尤も、前記隠蔽葉書は、郵政法に適合していなければ葉書料金で郵送することができないが、そのように郵政法に適合した葉書として、実開平７−２６１６０号公報に記載の「三つ折りシークレットはがき」がある。
【０００３】
【発明が解決しようとする課題】
前記従来技術に係る公知の三つ折りシークレットはがきは、図５（Ｃ）の断面図に示すように、折り線３４、３５を介して連接された葉書用紙Ｓ４の３葉片３１、３２、３３を断面Ｚ字状に折り畳むものである。そして、中央の葉書本体となる第２葉片３２に郵便はがきやポストカード又はそれに相当する表示を記載し、３葉片３１、３２、３３を断面Ｚ字状に折り畳んだ後にその表示を視認可能としたものである。このように構成された隠蔽葉書は、折り畳まれた中央の葉書本体の表裏面に添付物が貼付された形態とみなされ、郵便葉書として郵送が可能となるのである。
【０００４】
然るに前記従来技術では、図５（Ａ）に示すように葉書用紙Ｓ４の第１葉片３１表面に郵便切手欄と郵便番号欄及び受取人の住所氏名３６を設けると、図５（Ｂ）に示すように、必ず中央の第２葉片３２裏面に郵便はがきやポストカード又はそれに相当する表示を記載しなければならなくなる。即ち前記の場合は、葉書用紙Ｓ４の表裏面の何れにも、受取人に伝達する広告宣伝や個人情報とは関係のない前記郵便葉書関連の表示が強引に割り込み、そのため３葉片全面に渡るインパクトの大きいワイドなレイアウトができない等の制限を余儀なくされる。葉書の送り手としては、本来の目的と関連のない表示は片面に集約し、一切の制限がない表面で大きな効果を期待できるデザインを自由に創作したいところである。
【０００５】
また前記従来技術では、図６に示すように、３葉片３１、３２、３３を断面Ｚ字状に折り畳んだ後の開封個所Ｋが表裏２個所に発生するので、葉書の受取人にとっては煩わしい開封動作を２度必要とする。また、前記のように開封個所が２個所あれば、郵送途中に自然開封する危険性が増える。さらに前記従来技術では、葉書用紙表裏面の各々２葉片に疑似接着手段を施す必要がある。即ち前記従来技術では、図５（Ｃ）の断面図に示すように、葉書用紙に厚さの異なる部分が比較的多くの個所で発生するため、疑似接着手段の形成工程のみならず葉書の製造工程においても非常に加工が困難で効率が悪く、大量に失敗を頻発する等の多くの問題を抱えていた。
この発明は、かかる問題に鑑み、隠蔽葉書の３葉片全面に渡りインパクトの大きいワイドなレイアウトが可能であり、また１個所を開封するだけで全面展開が可能となることで開封の煩わしさが軽減され、しかも郵送途中での自然開封による事故が減少すると共に、素人でも失敗することなく大量に製造することが可能な隠蔽葉書を提供するものである。
【０００６】
【課題を解決するための手段】
上記問題を解決するために、本発明の巻き折り隠蔽葉書は、折り線を介して連接された第１葉片、第２葉片及び第３葉片からなる３葉片を折り畳み、対向する葉片間を剥離可能に疑似接着してなる隠蔽葉書において、前記３葉片が第２葉片裏面と第３葉片裏面を折り合わせると共に第１葉片裏面と第３葉片表面を折り合わせるように巻き折りに折り畳まれた状態で第１葉片に隠蔽されることなく表出する第３葉片の表面に、郵便はがきやポストカード又はそれに相当する表示が視認可能に記載されていることを特徴としている。
具体的には、第１葉片の横幅を他の２葉片の横幅より短く設定し、３葉片が巻き折りに折り畳まれた状態で第２葉片と第３葉片を介する折り線に沿って帯状に表出する第３葉片表面に、郵便はがきやポストカード又はそれに相当する表示が視認可能に記載されているようにしたり、第１葉片に窓を形成し、３葉片が巻き折りに折り畳まれた状態で第１葉片の窓に対応する第３葉片表面に、郵便はがきやポストカード又はそれに相当する表示が前記窓を透して視認可能に記載されているようにしたり、さらに第１葉片の縦幅を他の２葉片の縦幅より短く設定し、３葉片が巻き折りに折り畳まれた状態で上部に帯状に表出する第３葉片表面に、郵便はがきやポストカード又はそれに相当する表示が視認可能に記載されているようにすればよい。
【０００７】
【発明の実施の形態】
図１（Ａ）及び（Ｂ）は、本発明の第１実施例における葉書用紙の各々表面図及び裏面図、（Ｃ）は、（Ａ）におけるＸ−Ｘ断面図である。図２（Ａ）及び（Ｂ）は、第１実施例における葉書用紙を用いて製造した巻き折り隠蔽葉書の各々断面図及び平面図である。図３は、本発明の第２実施例における葉書用紙の表面図である。図４は、本発明の第３実施例における葉書用紙の表面図である。図５（Ａ）、（Ｂ）及び（Ｃ）は、従来技術における葉書用紙の各々表面図、裏面図及び断面図である。図６は、図５に示す従来技術における葉書用紙を用いて製造した隠蔽葉書の断面図である。
以下、前記図面に沿って本発明を詳しく説明する。
【０００８】
図１（Ａ）、（Ｂ）及び（Ｃ）において、第１実施例に使用される葉書用紙Ｓ１は、第１葉片１、第２葉片２及び第３葉片３からなる３葉片が横方向にそれぞれ折り線４、５を介して連接されて構成されている。そして、第１葉片１は、他の各葉片に比べ横幅において若干短く設定されている。第１葉片１の表面には、郵便切手欄や郵便番号欄の他に受取人の住所氏名６が記載されている。第２葉片２表面は３葉片を折り畳むと表出する面であり、従ってこの面には他人に見られても構わない広告宣伝等が印刷されている。第３葉片３表面は３葉片を折り畳むと折り線５に沿って帯状に表出し、この帯状の部分には例えば「郵便はがき」の文字が記載される。第３葉片３表面における斜線で示す部分は疑似接着予定面であり、この部分は３葉片を折り畳むと第１葉片１表面と重なり、隠蔽される。従って、前記斜線部分には、広告宣伝等の印刷の他に秘密を要する受取人の個人的な情報等を印刷することが可能である。
また、図１（Ｂ）に示すように、葉書用紙Ｓ１裏面については３葉片の全ての裏面が疑似接着予定面であり、これらの裏面は３葉片を折り畳むと全て隠蔽される。従って、前記葉書用紙Ｓ１裏面をその全面に渡りワイドなレイアウトで広告宣伝に使用することができると共にこの裏面に個人的な情報等も同時に記載することが可能である。
【０００９】
前記葉書用紙Ｓ１の表面及び裏面における斜線部分、即ち疑似接着予定面は、図１（Ｃ）に示すように疑似接着フィルムＧで被覆されている。同図に示す葉書用紙Ｓ１の断面の状態によれば、葉書用紙Ｓ１の厚さは第３葉片３部分のみで厚くなるだけで、図５（Ｃ）に示す従来技術のように第１葉片から第３葉片にかけて厚さが比較的多くの個所で変化するようなことがなく、これにより各種加工を容易に行うことができる。
なお、この疑似接着フィルムＧは、３葉片が折り畳まれて互いに対向密着した状態で加圧又は加熱加圧処理を施すことにより、該対向葉片間を剥離可能に疑似接着するものである。
前記疑似接着フィルムＧで被覆された葉書用紙Ｓ１を用いて隠蔽葉書を製造するに際しては、先ず第２葉片２と第３葉片３の裏面同志を折り線５から折り合わせ、次いで第１葉片１裏面と第３葉片３表面を折り線４から折り合わせることにより、各疑似接着予定面に被覆された疑似接着フィルムＧの表面同志を各々対向させ、この状態で例えば加圧ローラーやヒートローラーにより加圧又は加熱加圧処理を施せば、折り畳まれた葉書用紙Ｓ１は、対向する葉片間において、図２（Ａ）及び（Ｂ）に示すように疑似接着フィルムＧを介して全体として剥離可能に一体化され、得られた巻き折り隠蔽葉書Ｈは郵政法で認められる葉書として投函することが可能になる。
【００１０】
この巻き折り隠蔽葉書Ｈの受取人は、図２（Ｂ）に示す、第１葉片１のコーナー部分に記載した「ここから開く」の指示に従い、剥離可能に疑似接着された第１葉片１裏面と第３葉片３表面の葉片間を、それらの各疑似接着予定面に被覆されると共に互いに剥離可能に接着された疑似接着フィルムＧ同志から剥離して開封し、続いて同様に第２葉片２裏面と第３葉片３裏面の葉片間を剥離して開封することにより、巻き折り隠蔽葉書Ｈは図１（Ａ）、（Ｂ）及び（Ｃ）に示すような元通りの平面に展開されるのである。そして受取人は、透明な疑似接着フィルムＧを透して巻き折り隠蔽葉書Ｈに記載されている各種情報を容易に視認することができる。
前記のように本発明によれば、一回の開封作業により全面展開が可能であり、従来技術のような２回の開封作業は不要となる。
なお、本実施例では縦長の３葉片が横方向に連接されているが、それに代えて、横長の葉片が横方向に連接された形態でも差し支えない。
【００１１】
次に、図３において、第２実施例に使用される葉書用紙Ｓ２は３葉片とも同じ横幅であり、３葉片を折り畳むと各葉片が丁度重なり合うように設定されている。そして、第１葉片１１には、第３葉片１３の折り線１５に沿って記載されている「郵便ハガキ」の各文字に対応して重なる部分において円形の窓１７が形成されている。従って、この葉書用紙Ｓ２の３葉片を折り畳むと、葉書本体に相当する第３葉片１３の「郵便ハガキ」の表示が、第１葉片１１の各窓１７を透して読み取れるようになっている。即ち、この葉書も、第１実施例に係る葉書と同様に、「郵便ハガキ」が表示された葉書本体の第３葉片１３の両面に添付物に相当する第１葉片１１と第２葉片１２が各々貼付された形態を呈し、郵政法で認められる葉書として投函可能になるのである。なお、前記第１葉片１１の窓１７は、必ずしも「郵便ハガキ」の表示一字一字に対応して設ける必要はなく、例えば一つの大きな窓で文字全体が見えるように構成してもよい。
【００１２】
さらに、図４において、第３実施例に使用される葉書用紙Ｓ３では、第１葉片２１の縦方向長さ、即ち縦幅を他の葉片のそれより短く設計し、３葉片を折り畳むと第３葉片２３の上部が帯状に表出する形態となる。一方、葉書本体に相当する第３葉片２３の表出する上部には、「ＰＯＳＴ  ＣＡＲＤ」の文字が表示されている。従って、この葉書も、前記の各実施例と同様に、「ＰＯＳＴ  ＣＡＲＤ」が表示された葉書本体の第３葉片２３の両面に添付物に相当する第１葉片２１と第２葉片２２が各々貼付された形態を呈し、郵政法で認められる葉書として投函可能になる。
【００１３】
なお、本発明は前記実施例に限定されるものではない。例えば、疑似接着手段として前記実施例では疑似接着フィルムを使用していたが、それに代えて、印刷が完了した葉書用紙に塗工等によりＯＰワニス系、紫外線硬化系、溶剤蒸発乾燥系等の各種疑似接着媒体を塗布することにより、疑似接着性の被膜を形成する方法（業界で後糊方式、ニス引き方式と呼ばれている）を採用してもよい。
また、他の疑似接着手段として、業界で圧着紙と呼ばれ、天然ゴムや合成ゴムを主体に各種添加剤を調合した接着剤を使用し、強圧を掛けると剥離可能に疑似接着する用紙も好適に使用することができる。
何れの疑似接着手段についても、対向する両面に形成する方法を採用してもよく、また片面のみに形成する方法を採用してもよい。片面のみに形成する方法であれば、図１（Ｃ）の第３葉片３表面の疑似接着手段が不要となり、葉書用紙の厚さが全体で均一になるため各種加工が一層容易になる。
なお、葉書本体に相当する各第３葉片の表出する部分に、郵便ハガキ等の表示以外の表示が記載されていても差し支えない。
【００１４】
【発明の効果】
本発明に係る巻き折り隠蔽葉書によれば、受取人に伝達する広告宣伝や個人情報とは関係のない郵便葉書関連の表示が葉書用紙裏面に一切入ることがなく、しかも全ての葉片裏面が隠蔽される。従って、この隠蔽葉書では、３葉片が連続するワイドなレイアウトが可能になり、これを開封して展開すると隠蔽されていたワイドなレイアウトが飛び出し、受取人に強烈なインパクトを与えることができる。
また、前記隠蔽葉書によれば、開封個所が最低の一個所で済むため煩わしい開封作業が一度で済み、またそのように開封個所が少ないことから郵送途中に自然に開封してしまう等の事故が減少する。
さらに、前記隠蔽葉書によれば、葉書用紙の厚さの差が僅かに現れるだけなので、各種工程が容易になり、素人でも隠蔽葉書を失敗することなく短時間に大量生産することが可能である。
【図面の簡単な説明】
【図１】
図１（Ａ）及び（Ｂ）は、本発明の第１実施例における葉書用紙の各々表面図及び裏面図、（Ｃ）は、（Ａ）におけるＸ−Ｘ断面図である。
【図２】
図２（Ａ）及び（Ｂ）は、第１実施例における葉書用紙を用いて製造した巻き折り隠蔽葉書の各々断面図及び平面図である。
【図３】
図３は、本発明の第２実施例における葉書用紙の表面図である。
【図４】
図４は、本発明の第３実施例における葉書用紙の表面図である。
【図５】
図５（Ａ）、（Ｂ）及び（Ｃ）は、従来技術における葉書用紙の各々表面図、裏面図及び断面図である。
【図６】  
図６は、図５に示す従来技術における葉書用紙を用いて製造した隠蔽葉書の断面図である。
【符号の説明】
Ｓ１、Ｓ２、Ｓ３、Ｓ４  葉書用紙
Ｇ  疑似接着フィルム
Ｈ  巻き折り隠蔽葉書
Ｋ  開封個所
１、１１、２１、３１  第１葉片
２、１２、２２、３２  第２葉片
３、１３、２３、３３  第３葉片
４、５、１４、１５、２４、２５、３４、３５  折り線
６、１６、２６、３６  受取人の住所氏名
１７  窓